(57)【要約】本発明はシェーバーに関し、開示されたシェーバーは、グリップ部兼用ハウジングと、上記ハウジングの一側に結合されたヘッド部と、上記ヘッド部の上端正面に設置されて切削するかみそり刃カートリッジと、上記かみそり刃カートリッジを切削方向に往復運動する偏心カムモジュールとを含む。【選択図】図２
2013540480.tif 000002
【特許請求の範囲】
【請求項１】
グリップ部兼用ハウジングと、
前記ハウジングの一側に結合されたヘッド部と、
前記ヘッド部の上端正面に設置されて切削するかみそり刃カートリッジと、
前記かみそり刃カートリッジを切削方向に往復運動させる偏心カムモジュールとを含むことを特徴とする往復リニアシェーバー。
【請求項２】
前記かみそり刃カートリッジに平行に前記ヘッド部の正面に少なくとも１つの真空ガードがさらに具備されて、真空ポンプ機能及びマッサージ効果を行って、切削力を向上させることを特徴とする請求項１に記載の往復リニアシェーバー。
【請求項３】
前記かみそり刃カートリッジに平行に前記ヘッド部の正面に少なくとも１つの真空ガードがさらに具備されて、振動の時押圧された肌の引き締まり効果を極大化して、毛穴内に含有された皮脂及び老廃物を除去することを特徴とする請求項１に記載の往復リニアシェーバー。
【請求項４】
前記かみそり刃カートリッジの往復運動によって振動時、前記真空ガードも一緒に振動して、圧縮及び膨脹動作が提供されることを特徴とする請求項２に記載の往復リニアシェーバー。
【請求項５】
前記真空ガードは横方向及び縦方向にそれぞれ接するように配列され、弾性体材質で構成されて、吸入力を極大化したチューブ型中孔部を複数含んで構成されることを特徴とする請求項２に記載の往復リニアシェーバー。
【請求項６】
前記真空ガードは、
前記かみそり刃カートリッジの切削方向の一側に前記かみそり刃カートリッジと隣接しながら平行に同一平面上に具備された第１ガードと、
前記かみそり刃カートリッジの切削方向の他側に前記かみそり刃カートリッジと隣接し、前記かみそり刃カートリッジと第１ガードと共に平行に同一平面上に配置され、前記かみそり刃カートリッジを中心に前記第１ガードと対向する第２ガードとを含むことを特徴とする請求項２に記載の往復リニアシェーバー。
【請求項７】
前記ヘッド部の正面側方向の周りには複数の円筒状または四角柱状の突起が直線型に形成されて、前記真空ガードの一部が結合することを特徴とする請求項２に記載の往復リニアシェーバー。
【請求項８】
前記ヘッド部の正面側方向の垂直方向の周りには一対のリニアベースが具備されて、前記かみそり刃カートリッジを支持し、前記かみそり刃カートリッジの上下運動時に、円滑に移動することができるように支持することを特徴とする請求項１に記載の往復リニアシェーバー。
【請求項９】
前記かみそり刃カートリッジのかみそり刃は、クリップによってかみそり刃カートリッジに固定されることを特徴とする請求項１に記載の往復リニアシェーバー。
【請求項１０】
前記偏心カムモジュールは、
前記ハウジングに収容される駆動部と、
前記駆動部と同軸に設置されて、前記かみそり刃カートリッジと隣接するように具備され、前記駆動部の駆動によって上下振動力を前記かみそり刃カートリッジに提供する偏心軸カム部と、
前記駆動部と前記偏心軸カム部との間に同軸に設置される速度変換ギアとを含むことを特徴とする請求項１に記載の往復リニアシェーバー。
【請求項１１】
前記かみそり刃カートリッジと真空ガードは少なくとも１つの側面弾性カバーガイドによって前記ヘッド部の上端正面に着脱可能であり、
前記側面弾性カバーガイドは前記かみそり刃カートリッジの切削方向の垂直方向の両側に前記ヘッド部の本体の両側方向にそれぞれ対称に装着されて、前記かみそり刃カートリッジと真空ガードを拘束することを特徴とする請求項１に記載の往復リニアシェーバー。
【請求項１２】
前記側面弾性カバーガイドは、
前記かみそり刃カートリッジと真空ガードの一側を前記ヘッド部の上端正面に拘束する折曲部と、
前記折曲部と一体型に延長され、前記ヘッド部の本体の側面に回転可能に収容されて結合される回転支持部と、
前記回転支持部と一体型に延長され、前記ヘッド部の下端に収容されるように具備された弾性支持部とを含むことを特徴とする請求項１１に記載の往復リニアシェーバー。
【請求項１３】
前記かみそり刃カートリッジのかみそり刃は互いに対向するかみそり刃または互いに対向する多重かみそり刃に配置されることを特徴とする請求項１に記載の往復リニアシェーバー。
【請求項１４】
前記かみそり刃カートリッジのかみそり刃はシェービング性能を向上するために、両方向カッティングが可能に配置されることを特徴とする請求項１に記載の往復リニアシェーバー。
【請求項１５】
前記かみそり刃カートリッジと真空ガードは一緒に取替え可能に構成されることを特徴とする請求項２に記載の往復リニアシェーバー。
【請求項１６】
前記ヘッド部は前記ハウジングで回転可能に結合されて、前記かみそり刃カートリッジの切削方向の転換が可能であることを特徴とする請求項１に記載の往復リニアシェーバー。
【請求項１７】
前記ヘッド部とハウジングとの間には回転角度調節部がさらに具備され、前記回転角度調節部は、
前記ヘッド部の下端内径面に等間隔に具備された複数の溝と、前記ハウジングの上端外径面に間隔を置いて前記溝と結合される複数の突起と、を備え、前記ヘッド部は段階的に回転角度を調節することができ、
前記突起の間には弾性開口が具備されて、前記ヘッド部の回転動作が容易になることを特徴とする請求項１６に記載の往復リニアシェーバー。
【発明の詳細な説明】
【技術分野】
【０００１】
本発明はシェーバーに関し、特に、往復リニアシェーバーに関する。
【背景技術】
【０００２】
従来から、「シェーバー」はかみそり刃を利用して体の毛や髭のような体毛を切断して除去するのに用いられる。このようなシェーバーは手動方式で体毛を切断するシェーバーや、電動で動作する電動式シェーバーなどに分けられることができる。特に、電動式シェーバーは駆動源、例えば、モーターの駆動方式によって、回転式シェーバーやリニアモーターを用いるシェーバーなどに分けられることができる。
【０００３】
最近には、かみそり刃、さらにかみそり刃の機能を補助して、シェービング性能を向上させるための構造補強に対する研究も活発に行われている。例えば、潤滑バンドがある。
【０００４】
また、電動式シェーバーは電源として使い捨てバッテリーセルを用いたり、充電式を用いたりする。
【０００５】
同時に、体毛の切削度を向上させるために、ヘッド部を回転式にしてさらに肌と密着されるようにして、シェーバーの切削機能を向上させ、切削機能の向上、清潔、衛生などを考慮してシェーバーヘッド部を水で洗浄することができる方式も用いられている。
【０００６】
一般の電動シェーバー中で、振動シェーバーの場合、シェーバーカートリッジの表面で振動を提供して、肌または髭や体毛に鎮静効果を提供したりする。
【０００７】
また、シェーバーは湿式方式と乾式方式に分けられるが、上述された湿式方式のシェーバーは卓越な毛髪切削機能を有するが、シェービング前にクリーム、せっけんの泡などを肌に塗らなければならなく、使用者にとって不便であり、時間がたくさんかかり、非経済的である。
【０００８】
乾式シェーバーはモーターなどによって駆動力が提供されて体毛を切削するが、湿式シェーバーより使用が便利で、且つ経済的であるという利点があるが、湿式シェーバーより切削された体毛が多く残っている短所もある。
【０００９】
このような各種類のシェーバーは現代人の必需品として認識されて、経済的でありながら、時間と場所に拘らず、さらに便利に用い、且つ切削力が向上されたシェーバーが必要であった。
【発明の概要】
【発明が解決しようとする課題】
【００１０】
本発明は、偏心カムの回転による振動力を切削方向側へ提供する往復リニア運動を利用して、体毛切削力を向上させた往復リニアシェーバーを提供することにその目的がある。
【００１１】
また、本発明は経済的な往復リニアシェーバーを提供することにその目的がある。
【００１２】
また、本発明はシェーバーカートリッジを両方向かみそり刃で構成されて、両方向かみそり刃にそれぞれ第１ガード及び第２ガードを具備して、膨脹／圧縮効果から起因する切削力を向上させると同時に、シェービングが便利な往復リニアシェーバーを提供することにその目的がある。
【００１３】
また、本発明はかみそり刃カートリッジの着脱が便利な往復リニアシェーバーを提供することにその目的がある。
【００１４】
また、本発明は弾性材質の真空ガードが具備されて、真空ポンプ機能を行うことによって、 切削力が向上した往復リニアシェーバーを提供することにその目的がある。
【００１５】
また、本発明はヘッド部を段階的に回転可能に構成して、かみそり刃カートリッジの切削方向の転換が可能で、自分や他人が容易にシェービングすることができる往復リニアシェーバーを提供することにその目的がある。
【課題を解決するための手段】
【００１６】
上記課題を解決するために、本発明によるシェーバーは、グリップ部兼用ハウジングと、上記ハウジングの一側に結合されたヘッド部と、上記ヘッド部の上端正面に設置されて切削するかみそり刃カートリッジと、上記かみそり刃カートリッジを切削方向に往復運動させる偏心カムモジュールとを含む。
【００１７】
上記かみそり刃カートリッジに平行に上記ヘッド部の正面に少なくとも１つの真空ガードをさらに具備して、真空ポンプ機能及びマッサージ効果を行って、切削力を向上させることができる。
【００１８】
上記かみそり刃カートリッジの往復運動によって振動時、上記真空ガードも一緒に振動して圧縮／膨脹動作を提供することができる。
【００１９】
上記真空ガードは横方向及び縦方向にそれぞれ接するように配列され、弾性体材質で構成され、吸入力を極大化したチューブ型中孔部を複数含んで構成することができる。
【００２０】
上記真空ガードは、上記かみそり刃カートリッジの切削方向の一側に、上記かみそり刃カートリッジと隣接しながら、平行に同一平面上に具備された第１ガード、及び上記かみそり刃カートリッジの切削方向の他側に上記かみそり刃カートリッジと隣接し、上記かみそり刃カートリッジと第１ガードと共に平行に同一平面上に配置され、上記かみそり刃カートリッジを中心に上記第１ガードと対向する第２ガードを含むことができる。
【００２１】
上記ヘッド部の正面側方向の周りには複数の円筒状または四角柱状の突起が直線型に形成されて、上記真空ガードの一部を結合することができる。
【００２２】
上記ヘッド部の正面側方向の垂直方向の周りには一対のリニアベースが具備されて、上記かみそり刃カートリッジを支持し、上記かみそり刃カートリッジが上下運動する時には、円滑に移動することができるように支持することができる。
【００２３】
上記かみそり刃カートリッジのかみそり刃はクリップによってかみそり刃カートリッジに固定することができる。
【００２４】
上記偏心カムモジュールは、上記ハウジングに収容される駆動部、上記駆動部と同軸に設置されて、上記かみそり刃カートリッジと隣接するように具備され、上記駆動部の駆動によって上下振動力を上記かみそり刃カートリッジに提供する偏心軸カム部、及び上記駆動部と上記偏心軸カム部との間に同軸に設置される速度変換ギアを含むことができる。
【００２５】
上記かみそり刃カートリッジと真空ガードは少なくとも一つの側面弾性カバーガイドによって上記ヘッド部の上端正面に着脱可能であり、上記側面弾性カバーガイドは上記かみそり刃カートリッジの切削方向の垂直方向の両側に上記ヘッド部の本体の両側方向にそれぞれ対称に装着されて、上記かみそり刃カートリッジと真空ガードを拘束することができる。
【００２６】
上記側面弾性カバーガイドは、上記かみそり刃カートリッジと真空ガードの一側を上記ヘッド部の上端正面に拘束する折曲部、上記折曲部と一体型に延長し、上記ヘッド部の本体の側面に回転するように収容されて結合する回転支持部、及び上記回転支持部と一体型に延長されて、上記ヘッド部の下端に収容されるように具備された弾性支持部を含むことができる。
【００２７】
上記かみそり刃カートリッジのかみそり刃は互いに対向するかみそり刃または互いに対向する多重かみそり刃を配置することができる。
【００２８】
上記かみそり刃カートリッジと真空ガードは、一緒に取り替え可能に構成されることができる。
【００２９】
上記ヘッド部は上記ハウジングで回転可能に結合されて、上記かみそり刃カートリッジの切削方向の転換が可能である。
【００３０】
上記ヘッド部とハウジングとの間には回転角度調節部がさらに具備され、上記回転角度調節部は上記ヘッド部の下端内径面に等間隔に具備された複数の溝と、上記ハウジングの上端外径面に間隔を置いて上記溝と結合される複数の突起とを備え、上記ヘッド部は段階的に回転角度を調節することができ、上記突起の間には弾性開口が具備されて、上記ヘッド部の回転動作が容易になることを特徴とする。
【発明の効果】
【００３１】
上記のように、本発明によるシェーバーは、体毛切削力が向上され、特に、シェービングが便利であるという利点を有する。
【００３２】
特に、本発明によるシェーバーは、偏心カムの回転による振動力を切削方向側に提供する往復リニア運動を利用して体毛切削力を進め、真空ポンプ機能を有する真空ガードが２つ具備されて、体毛の吸入を誘導して、隣接したかみそり刃の切削力を増大させるという利点を有する。
【００３３】
また、本発明によるシェーバーは、シェーバー真空ガードの吸入力を通じて毛穴内の皮脂を排出するポンピング効果及び肌鎮静効果を極大化して、シェービング性能を進めることができる。
【００３４】
また、本発明によるシェーバーは、部品数が少なくて、低価格で提供されるので経済的であり、シェーバーカートリッジを両方向かみそり刃で構成することができ、両方向のかみそり刃にそれぞれ第１ガード及び第２ガードを備えて、切削力を向上させると同時に、シェービングがさらに便利になった。
【００３５】
また、本発明によるシェーバーは、かみそり刃カートリッジと真空ガードとの着脱が便利で、かみそり刃カートリッジの切削方向の転換が可能で、自分や他人によるシェービングが便利であるという利点を有する。
【図面の簡単な説明】
【００３６】
【図１】本発明によるシェーバーの構成を示す組立斜視図である。
【図２】本発明によるシェーバーの構成を多角的に示す分離斜視図である。
【図３】本発明によるシェーバーの構成を多角的に示す分離斜視図である。
【図４】本発明によるシェーバーの構成を多角的に示す分離斜視図である。
【図５】本発明によるシェーバーの切削方向を転換する回転角度調節部の構成を示す分離斜視図である。
【図６】本発明によるかみそり刃カートリッジの切削方向が９０度に転換された状態を示す斜視図である。
【図７】本発明によるかみそり刃カートリッジの切削方向が９０度に転換された状態を示す斜視図である。
【図８】本発明によるシェーバーの切削西濃を示した図面である。
【図９】本発明によるシェーバーと従来技術によるシェーバーを利用してシェービングした後、これを実際に撮影した写真である。
【発明を実施するための形態】
【００３７】
以下では、添付された図面を通じて本発明によるシェーバーの構成について説明する。同一の参照符号は同一の構成要素を示す。
【００３８】
図１〜図４に示したように、本発明の実施例によるシェーバー５０は、シェーバーカートリッジ３０に偏心カム１３０による上下往復移動（Ｘ方向）によって振動力を提供し、２つの真空ガード３３、３４をヘッド部ハウジング２１０、２１２の位置に備えることによって、圧縮／膨脹運動を提供して体毛切削力を向上させるので、経済的で、且つ便利なシェーバーである。上記振動力によって、上記かみそり刃カートリッジ３０に上下往復振動力を提供するが、これを「往復リニア運動」と言い、このようなシェーバーは以下で「往復リニアシェーバー」と称する。
【００３９】
図１に示したＸ方向はシェーバーの切削方向を示し、Ｙ方向はシェーバーの切削方向の垂直方向を示す。
【００４０】
図１には、ヘッド部２０の上端正面にかみそり刃カートリッジ３０と、２つのガード３３、３４とが組み立てられた状態を示す。往復リニアシェーバー５０（以下、「シェーバー」と称する）は、ハウジング１０（housing）と、ヘッド部２０（head unit）と、かみそり刃カートリッジ３０（blade cartridge）と、偏心カムモジュール１５（eccentric cam module）（図２〜図４に示す）とを含む。ハウジング１０、ヘッド部２０及びかみそり刃カートリッジ３０によってシェーバーの見掛けが提供される。
【００４１】
図２〜図４に示したように、ハウジング１０は、グリップ部（grip）に兼用され、回路基板を含むスイッチと、電源供給部Ｂ、例えば使い捨てバッテリーセルや、充電式セルが収容される本体ハウジング１０１と、本体ハウジング１０１で傾斜した方向に延長された傾斜ハウジング１０２とを含む。傾斜ハウジング１０２もグリップ部として用いられることができる。本体ハウジング１０１は電源をオンしたりオフするスイッチＳが外周面の所定位置に装着される。傾斜ハウジング１０２は肌の体毛に接しやすいグリップ動作を使用者に提供する。
【００４２】
かみそり刃カートリッジ３０はヘッド部２０（ヘッド部ハウジング）の上端正面に設置されて、体毛などを切削するユニットで、後述する側面弾性カバーガイド４１、４２によってヘッド部２０で拘束された状態で着脱可能に構成される。かみそり刃カートリッジ２０は１つ以上、具体的には複数の多重かみそり刃３１０、３１２で構成され、特に、上記かみそり刃が複数で構成される場合、カートリッジハウジング３００にそれぞれのかみそり刃が互いに対向するように、ばらで構成されることができ、また対で構成された多重かみそり刃が互いに対向するように構成することができ、また少なくとも１つのかみそり刃が互いに対向するように構成することができる。即ち、かみそり刃カートリッジ３０は互いに傾斜した状態で対向する多重刃（multi-stage blade）カートリッジで構成されることが切削力の向上及び便利性のために好ましい。勿論、上述したかみそり刃３１０、３１２は切削力の効率が向上されるように傾斜に配置される。切削力が優れたかみそり刃の配置傾斜角度は体毛切削方向を考慮して、当該分野の当業者において容易に理解することができる。この時、上記かみそり刃カートリッジのかみそり刃３１０、３１２はクリップ３５、３６によってそれぞれの両端が固定される。
【００４３】
ヘッド部２０は、傾斜ハウジング１０２に結合されたヘッド部ハウジング２００に結合されて、かみそり刃カートリッジ３０が装着される所で、ヘッド部２０の上端正面、即ち、ヘッド部ハウジング２００の上端正面（ヘッド部ハウジングの垂直方向の切断面）にかみそり刃カートリッジ３０が正面に平行に装着される。同時に、ヘッド部２０の正面側方向の線形周りには複数の突起２１０、２１２が形成される。上記複数の突起２１０、２１２は後述する真空ガード３３、３４（vacuum-guard）の一部が結合される所で、線形に配列され、それぞれの形状が円筒状または四角柱状に構成される。
【００４４】
同時に、突起２１０、２１２は２つの真空ガード３３、３４を設置するために、第１突起２１０及び第２突起２１２で構成され、上記ヘッド部の正面周り（切削方向の垂直方向、即ちかみそり刃が設置された周り）に対向するように配置する第１突起２１０及び第２突起２１２で構成され、特に、かみそり刃カートリッジ３０の切削方向の垂直方向（ヘッド部ハウジング正面で垂直上方）を向かうようにそれぞれ突出される。
【００４５】
また、シェーバー５０はかみそり刃カートリッジ３０に平行にヘッド部２０の正面に少なくとも１つの真空ガード３３、３４がさらに具備される。真空ガード３３、３４はシェービングの時に真空ポンプ機能を行って、接触する肌上の体毛を立てて、かみそり刃で容易に切削されることができる役割を果たす。また、真空ガード３３、３４は肌をマッサージする機能を果たす。
【００４６】
真空ガード３３、３４は、横方向及び縦方向に多様な真空孔が隣接配列された形状で、弾性体材質で構成されて、吸入力を極大化したチューブ型中孔部３３０を複数含んで構成される。即ち、中孔部３３０は横方向及び縦方向にそれぞれ接するように配列されて真空ガードを提供し、特に、中孔部３３０は弾性体材質、具体的にゴム材質で構成されることによって、吸入力が優れ、且つ真空ポンプ機能を円滑に行って、体毛切削力の向上に寄与する。上記真空ガードの弾性特性は、このようにかみそり刃カートリッジが上記のように往復移動して振動する時連動されるように充分に柔軟であり、本発明の真空ガードはかみそり刃カートリッジが上下（Ｘ方向）移動を繰り返すことによって圧縮／膨脹を繰り返えして、真空ポンプガードの吸入効果を発揮する。即ち、真空ガード３３、３４は振動によって、吸入力が発生され、これにより肌の引き締まり効果が極大化されて毛穴内に含有された皮脂及び老廃物を除去することができる。本発明によるシェーバーに採用された真空ガード３３、３４の形状はチューブ型中孔部に限定されず、基本的にチューブ型で構成されるが、体毛がある肌に吸着されるための有利な形状に変形実施することは可能である。例えば、肌に吸着される中孔部の前方を肌に接着する面積を増加させて、吸着機能を高める構成を例に挙げることができる。
【００４７】
真空ガード３３、３４はヘッド部２０の正面側方向の周りに形成された第１突起２１０及び第２突起２１２に一部がそれぞれ結合される。
【００４８】
上記真空ガードは、かみそり刃カートリッジ３０の切削方向の一側にかみそり刃カートリッジ３０と隣接しながら平行に同一平面状態に具備された第１ガード３３と、かみそり刃カートリッジ３０の切削方向の他側にかみそり刃カートリッジ３０と隣接し、かみそり刃カートリッジ３０と第１ガード３３と共に平行に同一平面状態に配置され、上記かみそり刃カートリッジを中心に上記第１ガードと対置するように配置される第２ガード３４とを含む。第１ガード３３及び第２ガード３４はかみそり刃カートリッジ３０を中心に互いに対称または非対称に対置するように構成することができる。
【００４９】
好ましくは、第１ガード３３及び第２ガード３４に具備されたそれぞれの中孔部の数は相異に構成されることができる。第１ガード３３に具備された中孔部の数が第２ガード３４に具備された中孔部の数より多く構成することができる。反対に、第１ガード３３に具備された中孔部の数が第２ガード３４に具備された中孔部の数より少なく構成することができる。
【００５０】
また、ヘッド部２０の上端正面側方向の垂直方向の周りには一対のリニアベース２１４、２１６が具備される。リニアベース２１４、２１６はかみそり刃カートリッジ３０を支持する部材で、特に、かみそり刃カートリッジ３０のリニア運動（上下往復運動）時に円滑に運動することができるように支持する役割を果たす。かみそり刃カートリッジ３０と真空ガード３３、３４はリニアベース２１４、２１６によってヘッド部２０で支持されると同時に、着脱可能に構成されて、上記ヘッド部で取り替えることができる。
【００５１】
偏心カムモジュール１５は、動作時にかみそり刃カートリッジ２０に上下往復移動力を伝達して、かみそり刃カートリッジ２０のリニア運動を提供し、同時に、真空ガード３３、３４もかみそり刃カートリッジ２０とともに振動して圧縮／膨脹動作を提供する動力源である。このような偏心カムモジュール１５はハウジング１０の一側内に収容されて、駆動源を提供する駆動部１２０と、駆動部１２０と同軸に設置され、かみそり刃カートリッジ３０と隣接するように具備されて、駆動部１２０の駆動によってかみそり刃カートリッジ３０に上下往復振動力を提供する偏心軸カム部１３０と、駆動部１２０と偏心軸カム部１３０との間に同軸に設置される速度変換ギア１２５とを含む。また、偏心軸カム部１３０（eccentric cam unit）はカムがモーターに偏心させて回転可能に構成される。従って、駆動部１２０の回転によって上記偏心されたカムは振動力に転換される。ギア１２５はモーターの回転速度を減速するギアモジュールで構成されることができる。上述した駆動部１２０は通常のモーターが採用される。
【００５２】
かみそり刃カートリッジ３０と真空ガード３３、３４は、少なくとも１つの側面弾性カバーガイド４１、４２によって、ヘッド部２０の上端正面に平行状態を保持することができるように構成される。上記側面弾性カバーガイドは第１側面弾性カバーガイド４１及び第２側面弾性カバーガイド４２で構成され、かみそり刃カートリッジ３０と第１ガード３３及び第２ガード３４の一端と他端をそれぞれ拘束する部材で、上記切削方向の垂直方向の一側にヘッド部ハウジング２００の両側方向にそれぞれ装着される。第１側面弾性カバーガイド４１及び第２側面弾性カバーガイド４２はそれぞれ同一に形成されて、第１側面弾性カバーガイド４１のみを説明する。第１側面弾性カバーガイド４１及び第２側面弾性カバーガイド４２はヘッド部２０の両側方向の外周面にそれぞれ対称に対向するように構成されて、かみそり刃カートリッジ３０と第１ガード３３及び第２ガード３４とを、ヘッド部から離脱しないように拘束する。第１側面弾性カバーガイド４１は、かみそり刃カートリッジ３０と第１ガード３３及び第２ガード３４の一側をヘッド部２０の上端正面に拘束する折曲部４１０と、折曲部４１０と一体型に延長され、ヘッド部２０の側方向に回転可能に収容して結合する回転支持部４１２と、回転支持部４１２と一体型に延長されて、ヘッド部２０の下端に支持されるように具備された弾性支持部４１４とを含む。回転支持部４１２は上記ヘッド部に形成された開口に収容されて、ヒンジピンＰ１、Ｐ２によって回転可能に結合される。かみそり刃カートリッジ３０と真空ガード３３、３４は上記第１側面弾性カバーガイド及び第２側面弾性カバーガイドによって着脱可能になる。
【００５３】
上記のように構成されたシェーバー５０は、スイッチＳをオンすると、振動子１５の駆動によって、かみそり刃カートリッジ３０に振動力が上下方向（Ｘ方向）に往復に提供される。このような状態で、使用者はかみそり刃カートリッジ３０を体毛がある肌に接触させて、所定方向（往復方向）に体毛を切削する。第１ガード３３及び第２ガード３４は肌に吸着して真空ポンプ機能を行うことによって、体毛を中孔部内に立てて、切削力を向上させるようになる。かみそり刃カートリッジ３０のかみそり刃が両方向かみそり刃３１０、３１２で構成された場合、第１ガード３４は隣接した一側のかみそり刃３１０の切削力を向上し、第２ガード３３は上記隣接した他側のかみそり刃３１２の切削力を向上する。
【００５４】
図１に示したかみそり刃カートリッジのかみそり刃は、複数で構成されたかみそり刃セットが互いに対向する両方向（bi-directional）かみそり刃３１０、３１２で採用する。同時に、図３及び図４に示した符号Ｃはハウジング１０の底面に結合される蓋を示す。
【００５５】
図５に示したように、ヘッド部２０はハウジング、具体的に傾斜ハウジングの上端部１１０に同軸（偏心カムモジュール回転軸方向）に結合して回転可能に構成されて、かみそり刃カートリッジ３０の切削方向の転換が可能である。特に、ヘッド部２０とハウジングとの間には回転角度調節部が具備されて、使用者は段階的に所望の位置にかみそり刃カートリッジ３０の切削方向を転換することができる。
【００５６】
上記回転角度調節部はヘッド部２０とハウジング上端部１１０との間に具備され、ヘッド部下端２２０の内径面２２１の周りに沿って等間隔に具備された複数の溝２２２と、ハウジング上端１１０の外径面１１１に間隔を置いて溝２２２と結合される複数の突起１１２とを具備し、ヘッド部２０は段階的に回転角度を調節することができる。溝２２２は放射方向にくぼみ、ヘッド部結合方向に延長され、特に、曲形に構成されて、突起１１２との噛み合いまたは離脱動作によって、ヘッド部２０の回転動作が容易になる。
【００５７】
ヘッド部２０の回転動作時、上記選択された溝に挿入された突起が離脱して、隣接する溝に再び挿入されて回転角度が調節される場合、聴覚的に「かちゃっ」という音を発して、使用者はヘッド部２０の回転角度を聴覚的にも認識することができる。
【００５８】
図５には８つの溝２２２と、２つの突起１１２とを示した。上記溝が等間隔に８つ形成された場合、上記溝と溝との間の回転角度は約４５度である。
【００５９】
さらに、突起１１２の間には弾性開口１１３が具備されて、ヘッド部２０の回転動作が容易になる。
【００６０】
図６及び図７にはヘッド部２０を回転して、かみそり刃カートリッジ３０の切削方向を転換した状態をそれぞれ示した。シェーバー５０は切削方向を転換することができるので、使用者は便利な姿勢でシェービングをすることができる。例えば、自分がシェービングする場合は、図６に示した状態でシェーバーを用いることが便利であるが、自分がシェービングせず、他人にシェービングしてもらう場合は、図７に示した状態でシェーバー５０を用いることが便利である。
【００６１】
図８は本発明によるシェーバーの切削性能を示した図面である。
【００６２】
本発明は、かみそり刃は互いに対向する形態に配置されるので、両方向カッティングが可能であり、それによって既存のシェーバーに比べて切削性能が優れているが、図８ｂに示したように、既存の湿式シェーバーの場合、シェービング時にヘアー（hair）がスライシングで切られるため、ヘアーの断面積が斜線に鋭く上っている。これに対して、本発明はかみそり刃が互いに対向するので、既存の湿式シェーバーのようにスライシングで切断するが、早く反対側でも切断するので、さらに深く切断し、切断面が緩く、断面積も小くなるという効果がある。
【００６３】
図９は本発明によるシェーバーと従来技術によるシェーバーを利用してシェービングした後、これを実際に撮影した写真で、図９ａは本発明によるもので、図９ｂは従来技術によるものである。本発明による方が、さらにきれいにシェービングしていることを確認することができる。
【図１】
2013540480.tif 000003
【図２】
2013540480.tif 000004
【図３】
2013540480.tif 000005
【図４】
2013540480.tif 000006
【図５】
2013540480.tif 000007
【図６】
2013540480.tif 000008
【図７】
2013540480.tif 000009
【図８】
2013540480.tif 000010
【図９】
2013540480.tif 000011
【国際調査報告】
2013540480.tif 000012
2013540480.tif 000013
2013540480.tif 000014
2013540480.tif 000015
2013540480.tif 000016
2013540480.tif 000017